(57)【要約】ユーザが選択したビデオチャンネルの変更に応じて音声／ビデオ番組を連続的にバッファする装置（１００）において、ユーザのプライバシを保持する方法及びシステムに関する。ビデオ番組は連続的に記録媒体に記録され、同時に表示装置に供給される。ユーザが選択したビデオチャンネルを変える時及び変えた後に、記録は中断せずに続く。  ユーザ入力に応じて、データ記録媒体に記録されたビデオ番組の少なくとも一部を削除することができる。ユーザ入力は一のコマンド入力であり、具体的にコントロール・キーの操作である。ビデオ番組の選択的に削除された部分は、コントロール・キーの所定回数の操作により制御される。ビデオ番組の全部を記録媒体から削除することができる。対話式の消去メニュは種々の消去オプションのためのメニュ選択を提供する。
2005524297.tif 000002
【特許請求の範囲】
【請求項１】
ユーザが選択した入力ソースに応じて、音声／ビデオ番組を連続的にバッファする記録装置（１００）において、ユーザのプライバシを保持する方法であって、
前記ユーザが選択した入力ソースに応じて、前記番組を連続的にデータ記録媒体（１４８）に記録（２０４）する工程と、
前記記録工程（２０４）と同時に、前記番組を表示（２０６）装置に供給する工程と、
ユーザ入力に応じて、選択的に前記データ記録媒体（１４８）に記録された番組の少なくとも一部を削除（２１２）する工程と
を有する
方法。
【請求項２】
前記ユーザ入力は一のコマンド入力を含む
請求項１に記載の方法。
【請求項３】
前記単一のコマンド入力は、コントロール・キーの１回操作である
請求項１に記載の方法。
【請求項４】
前記選択的に削除された少なくとも一部は、コントロール・キーの所定回数の操作により制御される
請求項１に記載の方法。
【請求項５】
前記番組の全部は、前記データ記録媒体から削除される
請求項１に記載の方法。
【請求項６】
すべての未保護の番組は、前記データ記録媒体から削除される
請求項１に記載の方法。
【請求項７】
前記データ記録媒体から選択的に削除された前記番組の少なくとも一部は、ユーザ入力に応じて定められる
請求項１に記載の方法。
【請求項８】
前記選択的削除工程は、消去オプションリストを表示するユーザ選択用の消去メニュを提供する工程を含む
請求項１に記載の方法。
【請求項９】
前記メニュ・オプションは、
ユーザが指定した番組のセグメントを消去する第１のオプションの選択；
ユーザが指定した番組のセグメントについて消去に対する保護を可能又は不可にする第２のオプションの選択；
ユーザが指定した時間内に番組を消去する第３のオプションの選択；及び
すべての未保護の記録番組を削除する第４のオプションの選択
を含む
請求項８に記載の方法。
【請求項１０】
前記記録ステップは、前記選択されたソースを変える途中及びその後、中断せず継続的に行なわれる
請求項１に記載の方法。
【請求項１１】
前記選択的に削除するステップは、前記選択されたソースの変更に従って前記選択的な削除を許可する工程をさらに含む
請求項１に記載の方法。
【請求項１２】
前記選択的に削除するステップは、前記選択されたビデオチャンネルの変更に応じて記録された番組の一部の全体より少ない部分を削除する工程をさらに含む
請求項１に記載の方法。
【請求項１３】
ユーザが選択した番組ソースに応じて、音声／ビデオ番組を連続的にバッファする記録システム（１００）において、ユーザのプライバシを保持するシステムであって、
前記ユーザが選択した番組ソースに応じて、前記音声／ビデオ番組が連続的に記録されたデータ記録媒体（１４８）と、
前記番組記録と同時に、前記番組を示す信号を生成するディスプレイ信号生成器（１５２）と、
ユーザ入力に応じて、前記データ記録媒体（１４８）に記録された番組の少なくとも一部の選択的な削除を制御するコントローラ（１０２）
と
を有する
システム。
【請求項１４】
前記コントローラ（１０２）は、一のコマンド入力に従って、前記ビデオ番組の少なくとも一部を削除する
請求項１３に記載のシステム。
【請求項１５】
前記コントローラ（１０２）は、コントロール・キーの１回操作に従って、前記ビデオ番組の少なくとも一部を削除する
請求項１３に記載のシステム。
【請求項１６】
前記コントローラ（１０２）は、コントロール・キーの所定回数の操作に従って、前記ビデオ番組の少なくとも一部を削除する
請求項１３に記載のシステム。
【請求項１７】
前記コントローラ（１０２）は、コマンド入力に応じて、前記ビデオ番組の全部を前記データ記録媒体から削除する
請求項１３に記載のシステム。
【請求項１８】
前記コントローラ（１０２）は、ユーザ入力に応じて、前記ビデオ番組のユーザが選択した一部を削除する
請求項１３に記載のシステム。
【請求項１９】
前記ディスプレイ信号生成器（１５２）は、ユーザ入力に応じて、表示用の消去オプションのメニュを生成する
請求項１３に記載のシステム。
【請求項２０】
前記消去オプションリストは、
ユーザが指定した番組のセグメントの消去と、
消去からユーザが指定した番組のセグメントに対する保護と、
ユーザが指定した時間内に番組の消去と、
すべての未保護の番組の削除と
を含む
請求項１８に記載のシステム。
【請求項２１】
前記コントローラ（１０２）は、前記選択された番組ソースを変える途中及びその後、略中断せずに継続的に前記番組を記録する
請求項１に記載の方法。
【発明の詳細な説明】
【技術分野】
【０００１】
本発明は、ディジタル・ビデオ記録に関し、特に、パーソンナル・ビデオ・レコーダにおけるビデオデータのバッファリングに関する。
【背景技術】
【０００２】
最新のディジタル・ビデオ・レコーダにより、ユーザはスケジュールを遅らせて放送番組を視聴することが可能になる。放送中であっても同じである。通常、ディジタル・ビデオ・レコーダは、放送を受信しながら、データ記録装置に番組を記録し、番組をバッファする。放送番組の記録を開始した後、ユーザは番組の記録された部分の再生を開始することができる。ユーザは選択すれば、ユーザは再生を中止し、残りの番組を放送から記録し続けることができる。また、中止した箇所で、ユーザは記録された番組の再生を再開することができる。さらに、ユーザは番組の記録された部分に対して他のトリックなモードを行うことができる、例えば、早送り、巻き戻しなどがある。
【０００３】
典型的なパーソンナル・ビデオ・レコーダは、ユーザがチャンネルを変えるときに、番組のバッファされた部分を消去する。これは、番組のデータ記録媒体に記録された部分を消去することにより実現される。チャンネル変更の際に、バッファを消去する一つの理由は、視聴者のプライバシに関わる。ユーザがチャンネルを変える時に、番組のバッファされた部分が消去されていない場合は、目障りな内容はパーソンナル・ビデオ・レコーダに残る恐れがある。例えば、大人は大人専用チャンネルより子供に適切でない番組を見ているときに、不適切な内容はパーソンナル・ビデオ・レコーダに残る可能性がある。よって、チャンネルを変えるユーザは、通常、前に観たチャンネルから記録した番組内容を再度観ることができない。これは、ユーザがチャンネルを変える前にこのレコーダでバッファしたニュースやスポーツ試合を観たい場合に不便である。
【発明の概要】
【０００４】
本発明は、ユーザが選択したビデオチャンネルに応じて音声／ビデオ番組を連続的にバッファ又は記録する装置を用い、ユーザのプライバシを保持する方法及びシステムに関する。当該方法は、ビデオ番組を連続的に記録媒体に記録し、同時に、番組を表示装置に供給する工程を含む。ユーザが選択したビデオチャンネルを変える時及び変えた後に、記録は中断せずに続くことができる。
【０００５】
ユーザ入力に応じて、データ記録媒体に記録されたビデオ番組の少なくとも一部を削除することができる。ユーザ入力は一のコマンド入力であり、例えば、コントロール・キーの操作である。他の構成において、ビデオ番組の選択的に削除された部分は、コントロール・キーの所定回数の操作により制御される。更に他の構成において、ビデオ番組の全部を記録媒体から削除することができる。
【０００６】
ユーザ入力に応じて、消去オプションリストを含む対話式の消去メニュはビデオ・ディスプレイに表示される。
【０００７】
前記消去オプションリストは、ユーザが指定した番組のセグメントを消去する第１のメニュ選択、ユーザが指定した時間内に番組を消去する第２のメニュ選択、及びすべての記録番組を削除する第３のメニュ選択を含む。
【発明の詳細な説明】
【０００８】
図１は本発明に係るパーソンナル・ビデオ・レコーダ（ＰＶＲ）１００のブロック図である。当該パーソンナル・ビデオ・レコーダ（ＰＶＲ）１００は、チャンネル変更を通して連続的な記録を実行することができ、ユーザが選択可能なバッファ消去を容易にすることができる。
【０００９】
パーソンナル・ビデオ・レコーダ（ＰＶＲ）１００は、ディジタル信号プロセッサ（ＤＳＰ）１０２、キー及び表示ボード１２０、チューナ１４０、音声／ビデオ（Ａ／Ｖ）入力セレクター１３８、ＵＳＢ入力１４６、記録装置１４８、及び番組情報モジュール１５０を含む。さらに、ＰＶＲ１００は、第１と第２の赤外線（ＩＲ）リンク１３０と１３２、ビデオ・オーバーレイ・エンコーダ１５２、ビデオ・スイッチ１６０、ヘッドフォンジャック１３４、標準Ａ／Ｖコンポーネント・コネクタ・ブロック１７０、Ｙ／Ｐｂ／Ｐｒコンポーネント・ビデオ・コネクタ・ブロック１８０、及びソニー／フィリップスディジタルインターフェース（ＳＰＤＩＦ）コネクタ・ブロック１９０を含んでもよい。
【００１０】
コンポーネント信号コネクタ・ブロック１７０、１８０、１９０は、種々の出力形式で音声／ビデオ信号を供給することができる。例えば、標準Ａ／Ｖコンポーネント・コネクタ・ブロック１７０は、色ビデオ信号と照度ビデオ信号に分解されたビデオ表示信号を出力するＳビデオ・コネクタ１７２と、合成符号化ビデオ信号を供給する合成ビデオ・コネクタ１７４とを含む。また、標準Ａ／Ｖコンポーネント・コネクタ・ブロック１７０は、左、右音声出力コネクタ１７６、１７８を含んでも良い。
【００１１】
ＹＰｂＰｒコンポーネント・ビデオ・コネクタ・ブロック１８０は、通常高精細度テレビ（ＨＤＴＶ）に使われる。ＹＰｂＰｒコンポーネント・コネクタ・ブロック１８０は、アナログビデオ照度成分を供給するビデオ照度（Ｙ）出力コネクタ１８２と、青色アナログ色差（Ｂ−Ｙ）信号を出力するＰｂ出力コネクタ１８４と、及び赤色アナログ色差（Ｒ−Ｙ）信号を出力するＰｒ出力コネクタ１８６とを含む。
【００１２】
また、ＳＰＤＩＦコネクタ・ブロック１９０は、同軸ケーブル或いはファイバ光学ケーブルを通じて、ディジタル音声信号を出力する同軸出力１９２及び光学出力１９４を含む。
【００１３】
キー及び表示ボード１２０は、ＰＶＲ１００のユーザ・インターフェースとして提供され、キーパッド１２２、ディスプレイ１２４、ＩＲ遠隔制御インターフェース１２６、及びリアルタイムクロック１２８を有する。キーパッド１２２又はＩＲ遠隔制御インターフェース１２６を用いることにより、ユーザはＰＶＲ１００により実行させる機能を選択することができる。例えば、ユーザは選択をすることにより、ＰＶＲにおいてチャンネルを変えることができ、或いは、特殊モードの再生を行うことができる。リアルタイムクロック１２８は時間を監視し、それをディスプレイ２４に表示する。ディスプレイ２４は、他の情報を表示してもよい。例えば、ＰＶＲはトリックなモードを行っていることや、ＰＶＲ１００選択のチャンネルを記録していることや、ある番組を代表する識別子はビデオディスプレイに表示されていることなどの情報がある。
【００１４】
第１と第２のＩＲリンク１３０と１３２は、衛星と非衛星のアプリケーションの間に一セットの通信リンクを形成し、音声、ビデオ、及びデータストリームの間のインターフェースを簡略化する。第１のＩＲリンク１３０は、ＤＳＰ１０２と、ＩＲ通信リンクを有する他のデバイスとの通信インターフェースを提供する。特に、第１のＩＲリンク１３０は、ＲＦ或いはケーブルテレビ放送又はスタンダード番組案内情報を使用するラジオ放送用に設計された他のデバイスを制御するのに有用である。リンク１３０はデバイスの間に顧客の相互交信を簡略化することを可能にする。例えば、第１のＩＲリンク１３０は番組記録に接すること、及び他のユーザに利便性を与えることを可能とする。第２のＩＲリンク１３２は、番組情報モジュール１５０と、ＩＲ通信リンクを有する他のデバイスとの通信インターフェースを提供する。特に、第２のＩＲリンク１３２は、ＤＳＰ１０２との直接接続を要求しないデバイス、例えば、ケーブル受け入れデバイスやＶＣＲなどとの通信に有用である、
ディジタル信号プロセッサ１０２は、アナログ・ディジタル（Ａ／Ｄ）・コンバータ１０４、ＭＰＥＧエンコーダ／デコーダ１０６、フィールド・番組可能なゲート・アレイ（ＦＰＧＡ）１０８、マイクロ・コントローラ１０９、記録/再生インターフェース１１０、ビデオ・デジタル・エンコーダ１１２、音声デジタル・アナログ（音声Ｄ／Ａ）・コンバータ１１４、及びビデオＳＰＤＩＦ出力１１６を含む。ＤＳＰ１０２は、さらに１また複数のデータバスを有してもよく、異なるＤＳＰコポーネントが互いに通信し、協働してデータを処理することを可能にする。特に、割り込みリクエスト（ＩＲＱｓ）とダイレクト・メモリ・アクセス（ＤＭＡｓ）を用いてバス通信とデータ処理を促すことができる。
【００１５】
音声／ビデオ（Ａ／Ｖ）入力セレクター１３８は、複数のＡ／Ｖ入力を含む。例えば、入力セレクター１３８は、Ａ／Ｖ入力を用いてチューナ４０からＡ／Ｖ信号を受信する。この入力セレクターは、他の種々の入力装置から信号を受信することもできる。例えば、ビデオカメラは前方Ａ／Ｖ信号入力１４２を介してＡ／Ｖ信号を送り、ＶＣＲは、後方Ａ／Ｖ信号入力１４４を介してＡ／Ｖ信号を送る。特に、他のＡ／ＶデバイスはＡ／Ｖ入力セレクター１３８と接続してもよい。
【００１６】
Ａ／Ｖ入力セレクター１３８は、選択され受信されたＡ／Ｖ信号をＤＳＰ１０２に出力する。アナログ・ディジタル・コンバータ１０４は、アナログ形式で受信されたＡ／Ｖ信号をディジタル形式に変換する。既にディジタル形式になっているＡ／Ｖ信号、例えば、ＵＳＢインターフェース１４６を介して受信したディジタル信号は、アナログ・ディジタル変換をバイパスする。
【００１７】
フィールド・番組可能なゲート・アレイ１０８は指示を出力し、コントローラ１０９により実行され、Ａ／Ｖ入力セレクター１３８又はＵＳＢインターフェース１４６から受信したデータを、受信したデータの種類に応じて処理する。例えば、Ａ／Ｖデータは圧縮されていない形式で受信された場合は、ＦＰＧＡ１０８とコントローラ１０９は、ＭＰＥＧエンコーダ／デコーダ１０６によるＡ／Ｖデータの処理を制御し、記録/再生インターフェース１１０に送信される前にＭＰＥＧ圧縮を行なう。Ａ／ＶデータはＭＰＥＧ圧縮形式で受信された場合は、ＦＰＧＡ１０８とコントローラ１０９は、制御可能にＡ／Ｖデータを記録/再生インターフェース１１０に出力する。何れの場合は、ＦＰＧＡ１０８は、書き込み／読み出し指示を出力し、コントローラ１０９はそれを実行し、記録/再生インターフェース１１０を制御し、Ａ／Ｖデータを記録装置１４８に記録する。
【００１８】
ＭＰＥＧエンコーダ／デコーダ１０６は、ディジタルＡ／Ｖ信号のＭＰＥＧ圧縮及び解凍を行なう。例えば、ＭＰＥＧエンコーダ／デコーダ１０６は、Ａ／Ｄコンバータ１０４又はＵＳＢインターフェース１４６からディジタルＡ／Ｖ信号を受信し、ＭＰＥＧ圧縮フォーマットでディジタルＡ／Ｖ信号を圧縮し、圧縮されたディジタルＡ／Ｖ信号を記録/再生インターフェース１１０へ転送する。そして、記録/再生インターフェース１１０は、圧縮されたディジタル信号を記録媒体１４８への記録を開始する。
【００１９】
記録媒体１４８は一また複数のデータ記録デバイスを有しても良い。例えば、データ記録デバイスは、ハード・ディスク・ドライブ（ＨＤＤ）などの磁気記録媒体、ＤＶＤなどの光学記録媒体、ＲＡＭなどの電子記録媒体、磁気光学記録媒体、或いは、記録デバイスの如何なる組み合わせを含む。
【００２０】
再生中に、記録/再生インターフェース１１０は、記録媒体１４８からＡ／Ｖデータを受信する。このＡ／Ｖデータは、ＭＰＥＧエンコーダ／デコーダ１０６へ転送され解凍される。解凍後、Ａ／Ｖデータはビデオ信号と音声信号に分解される。音声信号はＳＰＤＩＦ１１６へ転送され、同軸出力１９２または光学出力１９４を介してディジタル方式で出力される。音声信号は、音声Ｄ／Ａコンバータ１１４へ転送され、Ｄ／Ａ変換をされても良い。Ｄ／Ａ変換後、音声信号はヘッドフォンジャック１３４、及び／又は、左と右の音声出力コネクタ１７６、１７８を介して出力される。
【００２１】
ビデオ信号は、ビデオ・デジタル・エンコーダ１１２により処理される。ビデオ・デジタル・エンコーダ１１２は、ディジタルＡ／Ｖ信号のＤ／Ａ変換を行ない、様々な形式の出力ビデオ信号を形成する。例えば、再生されたＭＰＥＧ信号は、エンコーダ１１２により復号化され処理され、別個のＲ,Ｇ,Ｂカラー信号を形成する。同様に、復号化されたＭＰＥＧ信号は処理されて照度及び符号化された色信号（Ｙ＋Ｃ）を形成し、或いは、処理されてＮＴＳＣ若しくはＰＡＬ信号形式を有する合成ビデオ信号を形成する。合成ビデオ信号及び（Ｙ＋Ｃ）ビデオ信号は、ビデオ・スイッチ１６０に出力され、一方、ＲＧＢビデオ信号はビデオ・オーバーレイ・エンコーダ１５２に出力される。
【００２２】
ビデオ・オーバーレイ・エンコーダ１５２は、オーバーレイ・モジュール１５４、ＮＴＳＣ若しくはＰＡＬビデオ・エンコーダ１５６、ＹＰｂＰｒマトリックス・エンコーダ１５８を含む。オーバーレイ・モジュール１５４は、番組情報モジュール１５０から番組情報を受け、画像として番組情報をビデオ信号にオーバーレイし又は挿入し、後程表示装置の画面表示又はＯＳＤをしやすくする。番組情報モジュール１５０は、オンライン番組案内或いは入って来るＡ／Ｖ信号に含まれている番組案内から番組情報を抽出する。これら番組案内は、Ａ／Ｖ入力セレクター１３８に受信され、ＤＳＰ１０２により番組情報モジュール１５０に送信される。番組情報は、各チャンネルの視聴可能な番組及び番組時刻表を含む。さらに、各番組について、番組情報は、番組識別子、チャンネル情報、記録時間、番組の時間長さ、シーンデータ、番組評価などを含んでも良い。他の情報及び画像をもビデオ信号にオーバーレイ又は挿入しても良い。例えば、時計、テキスト時計、ユーザ情報、メニュ、アイコン、ピクチャーなどは、ＯＳＤ用にビデオ信号と結合されても良い。特に、ユーザによりリクエストされたとき、又は、事前に定めた事象に従い、情報はビデオ信号と結合される。しかし、一部の情報、例えば、チャンネル識別子、継続的にビデオ信号に重畳しても良い。
【００２３】
ＰＡＬ又はＮＴＳＣエンコーダは、符号化された合成ビデオ信号としてビデオ信号を出力し、また、照度及び符号化された色信号に分解されたビデオを供給する。そして、ビデオ信号はビデオ・スイッチ１６０に出力される。ビデオ・スイッチ１６０は、符号化された色信号を表示するか、ビデオ・デジタル・エンコーダ１１２により生成されたビデオ信号を表示するかを選択するのに用いられる。何れのソースからの合成ビデオ信号は、合成ビデオ・コネクタ１７４を介して出力され、何れのソースからの照度及び符号化された色信号は、Ｓビデオ・コネクタ１７２を介して出力されることができる。
【００２４】
マトリックス・エンコーダ１５８はＹＰｂＰｒ形式化されたアナログビデオ信号を生成する。上記のように、ＹＰｂＰｒビデオ信号は、ビデオ照度（Ｙ）成分、青色アナログ色差（Ｂ−Ｙ）信号、及び赤色アナログ色差（Ｒ−Ｙ）信号を含む。Ｙ成分はビデオ照度Ｙ出力コネクタ１８２に出力され、色差（Ｂ−Ｙ）信号はＰｂ出力コネクタ１８４に出力され、赤色アナログ色差（Ｒ−Ｙ）信号はＰｒ出力コネクタ１８６に出力される。
【００２５】
図２は発明に係る装置を理解するためのフローチャート２００である。ステップ２０２において、パーソンナル・ビデオ・レコーダ１００は、ユーザ入力を受信し、放送音声ビデオ・番組の記録を始める。このユーザ入力は、例えば、キーパッド１２２又はＩＲ遠隔制御インターフェース１２６と通信する遠隔制御ユニットを経由して入力される。ステップ２０４において、ＰＶＲ１００は、記録装置１４８上にユーザが選択したチャンネルからの番組の記録を始める。同時に、この番組は、ステップ２０６に示すように、ビデオ表示装置にも出力される。
【００２６】
他の構成のＰＶＲ装置も提供されえる。例えば、ＰＶＲ１００の起動に応じて、ＰＶＲ１００は自動的に番組の記録を始める。一例の装置において、選択した記録チャンネルは、ビデオ・ディスプレイに出力中のチャンネルである。他の例の装置において、記録中のチャンネルは、ユーザが定義した、再生表示中のチャンネルと異なるチャンネルである。例えば、ユーザは第１のチャンネルでスポーツを観ながら、第２のチャンネルで受信した映画を記録する（記録と同時に再生）。
【００２７】
記録中のチャンネルを変更する際に、記録はチャンネル変更に続いて行なうことができる。例えば、記録媒体１４８に既に記録した前のチャンネルの番組を保留し、新しいチャンネルの選択まで前のチャンネル番組の記録が継続する。よって、ユーザは複数のチャンネルから記録した番組について再生及びトリックなモード操作を行なうことができる。例えば、ユーザは第１のチャンネルでスポーツイベントを観て記録し、後は、チャンネルをニュース放送に変える。ニュース放送はユーザが前に観ていたスポーツイベントの特定試合を言及する場合に、ユーザはスポーツイベントに巻き戻してこの試合を観ることができる。そして、ユーザはニュース放送におけるユーザが中止した箇所に早送りし、番組内容を見逃さずに、再度ニュース放送を観ることができる。
【００２８】
ステップ２０８及び２１０において、記録は完了した時点で記録を停止することができる。例えば、ＰＶＲ１００はパワーオフの時、ＰＶＲ１００は記録停止にユーザリクエストを受信した時、或いは、事前に定めた所定のイベントに基づいて、記録は完了したと判断することができる。
【００２９】
ステップ２１２及び２１４において、ユーザリクエストを受信した時に、ＰＶＲ１００は記録媒体１４８から番組を削除することができる。ユーザリクエストは、例えば、キーパッド１２２、又は、ＩＲ遠隔制御インターフェース１２６と通信する遠隔制御ユニットを経由して入力される。一実施形態として、現在視聴中の、記録中のチャンネルを変えるときに、バッファ記録削除コマンドを入力するように自動的にユーザを注意するようにしてもよい。例えば、ユーザはアダルト内容を含む番組を観ていて記録している場合、当該ユーザは、番組を観終わった時に記録媒体１４８から番組を消去するように選択することができる。これによって、後程ＰＶＲ１００で他の番組を観る子供は偶然にアダルト内容を観てしまうことはない。さらに一の装置例として、ＰＶＲ１００は記録された番組を順次消去するように制御される。例えば、消去ボタンを押された度に記録した番組の１セグメントは消去される。これによって、消去ボタンを三回押すと、番組最後の３セグメントは消去される。ＰＶＲ１００の停止に応じて、例えば、パワーオフの時点で、記録媒体１４８から番組を消去するようにＰＶＲ１００を構成してもよい。消去の際に、保存とされた番組をスキップすることができる。
【００３０】
他の一装置例として、ユーザリクエストに応じて、ＰＶＲ１００は消去オプションのリストを有する対話式の消去メニュを提供する。この消去メニュはディスプレイ１２４にユーザに提供してもよく、現在の番組を映写するビデオ・ディスプレイによる画面表示としてユーザに提供しても良い。例えば、第１のメニュ選択は、ユーザ指定の番組セグメントを消去し、また、特定の選択を「保護されている」としてマークし、明確に「非保護」とされる以外に消去不可とする。第２のメニュ選択は、ユーザ指定の時間枠以内に番組を消去し、第３のメニュ選択は、保護されている番組セグメントを除き、記録されたすべての番組を消去する。記録媒体１４８から番組を消去する前に、ＰＶＲ１００は、消去確認選択と中止選択を含む消去情報メニュを提供する。ユーザは消去確認を選択した場合は、ＰＶＲは選択した消去方法を続行する。ユーザは中止を選択した場合、消去プロセスを中止することができる。特に、消去選択プロセス中に、不注意により番組内容を見逃さないように記録された番組の再生を中止することができる。
【００３１】
なお、以上に説明した例及び実施形態は例示であり、当業者は本発明に対する加える種々の変更又は修正は、本発明の範囲に属する。を加えることができ、及びその用途は本発明の範囲に属する。本発明の趣旨を離脱しない限り、他の形態を用いても良い。
【図面の簡単な説明】
【００３２】
【図１】本発明に係るパーソンナル・ビデオ・レコーダ（ＰＶＲ）ブロック図である。
【図２】本発明に係る装置を理解するためのフローチャートである。
【図１】
2005524297.tif 000003
【図２】
2005524297.tif 000004
【国際調査報告】
2005524297.tif 000005
2005524297.tif 000006